(57)【要約】  本発明は、読み取り専用領域（２１）および記録可能領域（２２）を含む光記録ディスク（２０）に関し、読み取り専用領域（２１）が、記録可能領域（２２）上にデータを記録するための手段（２４）を含むことを特徴とする。
2008520057.tif 000002
【特許請求の範囲】
【請求項１】
読み取り専用領域（２１）および記録可能領域（２２）を含む光記録ディスク（２０）であって、
読み取り専用領域（２１）が、記録可能領域（２２）上にデータを記録するための手段（２４）を含むことを特徴とする光記録ディスク。
【請求項２】
読み取り専用領域（２１）が、記録可能領域（２２）上にデータを記録するための手段（２４）を自動的に動作させるための手段（２５）を含むことを特徴とする、請求項１記載の光ディスク。
【請求項３】
記録可能領域（２２）上にデータを記録するための手段（２４）が、光記録ディスク（２０）の記録デバイス（１４）の動作パラメータを検出するための手段を含むことを特徴とする、請求項１〜２のいずれか１項記載の光ディスク。
【請求項４】
記録可能領域（２２）上にデータを記録するための手段（２４）が、記録デバイス（１４）を識別するための手段を含むことを特徴とする、請求項１〜３のいずれか１項記載の光ディスク。
【請求項５】
記録可能領域（２２）上にデータを記録するための手段が、記録プログラム（２４）であることを特徴とする、請求項１〜４のいずれか１項記載の光ディスク。
【請求項６】
記録プログラム（２４）が、コンピュータ（１０）のメモリ（１６；１７）内で実行されることを特徴とする、請求項５記載の光ディスク。
【請求項７】
コンピュータのメモリが、ランダムアクセスメモリ（ＲＡＭ）（１７）を含むことを特徴とする、請求項６記載の光ディスク。
【請求項８】
請求項１〜７のいずれか１項記載の光記録ディスク（２０）上にデータを記録するための方法であって、
Ａ）光記録ディスク（２０）の記録可能領域（２２）上にデータを記録するための手段（２４）を動作させる（３４；３６）ステップと、
Ｂ）ディスクの記録可能領域（２２）上に記録されるデータを取り込む（３５）ステップと、
Ｃ）光記録ディスク（２０）の前記記録可能領域（２２）上に取り込まれたデータをセーブ（３９）するステップと
を含む方法。
【請求項９】
ステップＡで、ディスク（２０）の記録可能領域（２２）上にデータを記録するための手段（２４）の動作が、自動的に行われる（３３）ことを特徴とする、請求項８記載の方法。
【請求項１０】
記録デバイス（１４）の動作パラメータを検出するためのステップＤ（３８）を含むことを特徴とする、請求項８〜９のいずれか１項記載の方法。
【請求項１１】
ステップＡの前に、記録デバイス（１４）を識別するためのステップＥ（３２）を含むことを特徴とする、請求項８〜１０のいずれか１項記載の方法。
【請求項１２】
コンピュータシステムに、請求項８〜１１のいずれか１項記載の方法を実行させるためのプログラム命令を含む、コンピュータプログラム。
【請求項１３】
コンピュータシステム（１０）のメモリ（１６；１７）内に保存されることを特徴とする、請求項１２記載のコンピュータプログラム。
【請求項１４】
電気的なキャリア信号で移送されることを特徴とする、請求項１２〜１３のいずれか１項記載のコンピュータプログラム。
【発明の詳細な説明】
【技術分野】
【０００１】
発明の分野
本発明は光記録ディスクに関し、より詳細には、リードオンリーメモリ（ＲＯＭ）領域および記録可能領域を含むハイブリッドディスクに関し、読み取り専用領域は記録可能領域上にデータを記録するためのプログラムを含む。さらに、光記録ディスク上にデータを記録するための方法についても説明する。
【０００２】
発明の背景
データ保存のための光記録ディスクは当技術分野において既知であり、保護された内層を有し、ここには異なる技術を用いてデータビットが保存されるが、すべてのデータは入射レーザビームを用いて読み取られる。この内層は、そのすべてのセクションにおいて、１センチメートル毎に同じビット数を有するスパイラルトラックを含み、より効率的な方法で保存手段を利用するために、一定の線密度が実現される。この理由から、既知の光ディスクの読み取りおよび記録では、スパイラルが、その中心では外縁よりも長さが短いため、レーザビームがディスクの中心から遠ざかるにしたがって速度が減少する。この速度適応（可変角速度）により、１秒毎に読み取られるまたは記録されるビット量が、スパイラルのあらゆるセクションで一定になることが実現される。
【０００３】
開示された光ディスクの記録のために用いられる技術に依存して、種々の変形が得られる。このように、製造時にニッケル型から成型によって記録されると、ＣＤ−ＲＯＭおよびＤＶＤ−ＲＯＭ（ＣＤ−ＲＯＭよりも大容量）が得られる一方で、レーザの作用で記録された場合、ＣＤ−Ｒ、ＤＶＤ−ＲおよびＤＶＤ＋Ｒが得られる。ＤＶＤ−ＲまたはＤＶＤ＋Ｒに関しては、ＣＤ−Ｒと同じ方法で記録が行われるが、その保存容量が大きいためにデータ密度が高く、記録にははるかに注意を要する。
【０００４】
基本的には、レーザの作用で記録される光ディスクは、記録中にレーザがあてられると焼かれる不透明材料層の形態で保護された内層を有する。焼かれた領域はピットと呼ばれるのに対し、加工されずに残された領域はランドと呼ばれる（異なる長さを有するピットおよびランドのコードを用いることにより情報を符号化する）。読み取りが行われると、用いられたレーザ光は、予めピットで標識付けされている領域内のみに進入する。内層（データ層）の後ろには、ランド上のリーダにより光ビームが放射されたときには、反射を受けないもうひとつの反射層、通常は金属層がある。しかし、光ビームがピットに到達すると、光が上層に到達し、放射された光の反射を受ける。
【０００５】
前段で説明された技術から、記載されたディスクよりも大きい保存容量を有する光レーザ記録ディスクは、以前にも開発されてきた。たとえば追記型片面２層ＤＶＤである。そのようなディスクは２つのデータ層を含み、それぞれが金属反射層を有する。外層のエレメントは半透明であり、異なる波長を用いることにより第２のデータ層のエレメントに到達することができるようにされている。内部データ層に記録するためには、反射半透明層に加え、外層を損傷することなく通過する必要がある。
【０００６】
前記の片面２層ディスクよりも旧来のものに、ハイブリッド光記録ディスクがあり、ＭａｃのシステムとＰＣのシステムとの間の保存データの互換性を得るために主に用いられ、情報は複製されないが、ＭａｃのシステムおよびＰＣのシステムの双方で同じファイルが扱われるようにされている。前記ハイブリッドディスクは、その名称が示すように、リードオンリーメモリ（ＲＯＭ）領域および書き込み可能な領域を含み、すなわちこれらのディスクはＣＤ−ＲＯＭ／ＤＶＤ−ＲＯＭおよびＣＤ−Ｒ／ＤＶＤ±Ｒまたは片面２層ＤＶＤの間でハイブリッドであるということである。したがって、これらのディスクは、ＲＯＭ領域の製造時に情報が成型によって保存されるものであり、ＲＯＭ領域は読み出し可能であるが書き換え可能ではなく、ユーザはデータを書き込み可能な領域に保存することが可能になる。
【０００７】
さらに、上述の光レーザ記録ディスクの各タイプには、その書き換え可能型が存在し、すなわちディスクには所望する回数だけ消去し、続いて書き込みすることができる（ＣＤ−ＲＷ、ＤＶＤ−ＲＷ、ＤＶＤ±ＲＷ等）。
【０００８】
どのタイプのレーザ記録光ディスクが選択されても、前記ディスク上にデータを保存できるような記録用プログラムのほかに、記録ユニットまたはレコーダの使用が必要である。
【０００９】
あらゆるＤＶＤレコーダはＣＤ−Ｒに記録できるが、ＣＤ−Ｒ、ＤＶＤ＋Ｒ、ＤＶＤ−Ｒまたは片面２層ＤＶＤには専用レコーダがある。さらに、ＤＶＤ±Ｒフォーマットに記録することを可能にするデュアルレコーダがある。
【００１０】
記録用プログラムに関しては、多くの提供がある。記録用プログラムは通常、膨大な種類の機能を含み、その大部分が、以下に記載されている異なるタイプの光ディスクの記録に関連する。
【００１１】
上述のレーザ記録可能な光ディスク上のデータ保存は、以下に説明する非常に多くの不利な点を有する。
【００１２】
第１に、記録用プログラムは、含まれる機能の数が多いことを主な原因として、構成および使用がますます複雑になっている。選択されたディスクおよび保存するデータのそれぞれのタイプのために、記録プログラムを構成する必要があることを考慮すると、状況は悪化している。ユーザは、相当のコンピュータの知識を有する熟練したユーザであるべきだとされている。前記の不利な点は、特にユーザがプロフェッショナルなレベルで行動する場合、時間と費用の多大な浪費を含む。
【００１３】
記録用プログラムに含まれる機能量の結果として、主に処理、保存容量および作業用メモリレベルにおけるハードウェア要求はますます高くなっている。このことは、ユーザにとって経済的に多大な費用を必要とし、ユーザは、頻繁にコンピュータをアップデートする必要があるかまたは新しいコンピュータを取得しなければならない。
【００１４】
一方で、異なる記録プログラムが存在することにより、ユーザは、データがどこにあっても保存できるようにするためには、たとえ表面上であってもそれぞれについての操作を理解することを余儀なくされる。それぞれのコンピュータに異なる記録プログラムをインストールすることがあるため、ユーザがそのプログラムを理解していないという状況にある場合、ユーザは対象となるデータを保存することができないか、または操作を理解するのに多大な時間を浪費する。
【００１５】
また、特に自分が所有するものではないコンピュータで作業をする場合、ユーザは、コンピュータ内にインストールされたすべてのプログラムのアクセスの中から、記録プログラムへのアクセスを探す時間を浪費してしまい、そのうちいくつかは識別するのが困難である。その他の不利な点は、記録プログラムがユーザのわからない言語の場合である。
【００１６】
このように、記録プログラムの操作がわからない、どこにアクセスしてよいかわからない、さらには、プログラムのインターフェイスの言語がわからない等、ユーザが記録プログラムを使用するのが困難な状況にある場合、所望のデータを保存することが不可能であることは明らかである。
【００１７】
その他の不利な点は、光記録ディスクの急速な進化（速度、容量、タイプ等）に起因して、記録ファームウェアの、ひいては記録プログラムにも保守を要することである。これには多大な時間の浪費とともに、場合によっては、高額なアップデート費用が含まれる。さらに、前記アップデートは、熟練したユーザだけが行うことができる。
【００１８】
したがって、前記の不利な点から、特にコンピュータがより多くのユーザに届き、ほとんどのユーザはあまり技量がないことを考慮したとき、光レーザ記録ディスク上のデータ保存のための状況は適切ではないことが明らかである。
【００１９】
発明の概要
発明の背景に応じ、本発明の目的は、最初に言及されたタイプの光記録ディスクを提供することにあり、先に述べたデータ保存を容易にすることに関する問題を克服することが可能になる。
【００２０】
この目的は請求項１により実現され、読み取り専用領域が、記録可能領域上にデータを記録するための手段を含むことを特徴とする光記録ディスクが提供される。
【００２１】
本発明の光記録ディスクは、多くの利点を有する。
【００２２】
第１に、ユーザは常に、ディスク上にデータを記録するための同じ手段、たとえば記録プログラムを用い、これによりユーザは、プログラムがどこにあるかにまたは用いられるコンピュータにかかわらず、このプログラムの操作を理解するだけでよい。さらに、用いられる記録プログラムが常に同じであるため、インターフェイスの言語がユーザの選定にしたがって、ユーザにとって適切になる。
【００２３】
第２に、本記録プログラムは、光記録ディスク内の最小限の空き（およそ１Ｍｂ）を使用するため、特にユーザフレンドリ（本質的機能性）であり、このため記録可能領域が最大容量を有し、可能な限り大容量のデータを保存することができる。
【００２４】
述べられた事項の結果として、明らかな理由で、相当なハードウェア要求は、処理レベルでも、作業用メモリレベルでも、容量レベルでも必要とされない。基本的な機能性を有する小規模なコンピュータプログラムであるため、相当な処理リソースまたは作業用メモリリソースは必要とされない。記録プログラムを保存したり（自らの記録ディスクの読み取り専用領域上に保存される）または実行したりするために、コンピュータのハードディスク上の空きは必要とされない。さらに、記録プログラムの実行において、ハードディスク内にいかなるタイプのファイルフォーマットの痕跡も残さない。
【００２５】
前述のように、高い要求をともなう外部記録プログラムまたはハードウェアを必要とせず、したがってそのアップデートの必要もないため、現在既知である状況に関して、相当なコストの削減が実現される。
【００２６】
さらに、記録プログラムは、所定のデータフォーマットをコピーすることを意図しているため、この記録プログラムを、記録するデータタイプにしたがって構成する必要がなく、したがって、本発明の目的である、ディスク上のデータ保存を容易にする。
【００２７】
一方、光記録ディスクは、定義上、削除や変更ができないリードオンリーメモリ領域を含むため、前記ディスクを、ＣＤ−Aｕｄｉｏフォーマットデータを保存するために用いることができない。第１に、組み入れられた記録プログラムおよびその他のあらゆる既知の外部記録プログラムでは、上述の特徴を有するディスク上にＣＤ−Ａｕｄｉｏフォーマットデータを記録することが可能とならない（“空ディスクではありません。ディスクをコピーできません。（ｎｏｔ  ｅｍｐｔｙ  ｄｉｓｃ，  ｄｉｓｃ  ｃａｎｎｏｔ  ｂｅ  ｃｏｐｉｅｄ）”というタイプのエラーが発生する）。第２に、ディスクの記録可能領域上で、ＣＤ−Ａｕｄｉｏフォーマットデータの記録が実現された場合、ＣＤ−Ａｕｄｉｏリーダのほとんどが、ディスクをリジェクトするか、またはデータを読み込んでいるとしてノイズを再生し、これによりスピーカに損傷が生じる可能性がある（ＣＤ−ＡｕｄｉｏリーダでＣＤ−ＲＯＭを読み取ろうとするときにも、同じことが生じる）。これらの特徴により、このような光記録ディスクの価格低減を容易にすることができるのは、知的財産に関する問題に起因して、所定各国でそれらに課されている使用料の支払を免れることができるためである。
【００２８】
好ましくは、読み取り専用領域は、記録可能領域上にデータを記録するための手段を自動的に動作させるための手段を含むことができる。
【００２９】
このように、記録手段、たとえば記録プログラムは、記録デバイス上にディスクが挿入されると、コンピュータハードディスク内にインストールすることなく自動的にユーザに表示され、これは、ユーザが操作しているコンピュータ内の記録手段へのアクセスを探す必要がないということから、前記ディスク上へのデータの保存を容易にすることを含む。
【００３０】
本発明の特徴では、記録可能領域上にデータを記録するための手段は、光記録ディスクの記録デバイスの動作パラメータを検出するための手段を含むことができる。
【００３１】
既知の技術では、記録デバイスは、関連するコンピュータと接続し通信するためのドライバを必要とする。前記ドライバはプログラムであり、記録ユニット自体（ファームウェア）に保存され、バグを修正したりその他の機能を加えたりするためにアップデートされる必要があるものである。前記アップデートが行われると、記録プログラムのアップデートもまた必要となる。すべてにおいて特に多大な時間の浪費が含まれるとともに、特にユーザが熟練したユーザでない場合、場合によってはコストが高くなる。
【００３２】
本発明では、前記記録デバイスの動作パラメータを検出するための手段の存在により、前記の不利な点が克服され、この手段では、最適なものが見つかるまで、前記動作パラメータ内部で異なる選択肢が試みられ、記録ユニット上にデータを記録するための手段の適合が得られる。これにより、データ記録手段が動作しつづけるためにアップデートすることは、もはや必要なくなる。
【００３３】
したがって、データ保存を容易にするために光記録ディスクが得られ、ディスク自体上にデータを記録するための記録プログラムを含み、記録デバイス内部にディスクが挿入されると、記録プログラムは自動的に実行され、ディスクは任意の記録ユニットでいつでも用いることができる状態になる。
【００３４】
本発明のさらなる特徴では、記録可能領域上にデータを記録するための手段は、記録デバイスを識別するための手段を含むことができる。
【００３５】
記録デバイスを識別するための手段の目的は、光記録ディスクが読み取りデバイス内部か、または記録デバイス内部かに挿入されたかどうかを確認することである。読み取りデバイス内部に挿入された場合、ディスク上に保存されたデータにアクセスすることができるが、データ記録手段は、用いることができないために自動的には表示されない。
【００３６】
前述のとおり、記録可能領域上にデータを記録するための手段は、コンピュータメモリ、たとえばランダムアクセスメモリ（ＲＡＭ）上で実行する記録プログラムにすることができる。
【００３７】
本発明のさらなる態様では、上述したような光記録ディスク上にデータを記録するための方法が提供され、（Ａ）光記録ディスクの記録可能領域上にデータを記録するための手段を動作させるステップと、（Ｂ）ディスクの記録可能領域上に記録されるデータを取り込むステップと、（Ｃ）光記録ディスクの前記記録可能領域上に取り込まれたデータをセーブするステップとを含む。
【００３８】
ステップＡでは、ディスクの記録可能領域上にデータを記録するための手段の動作は、自動的に行うことができる。
【００３９】
さらに、本方法は、記録ユニットの動作パラメータを検出するためのステップＤを含むことができる。
【００４０】
本方法は、ステップＡの前に、記録デバイスを識別するためのステップＥをさらに含むことができる。
【００４１】
本発明のよりさらなる態様では、コンピュータシステムにより先に説明した方法を実行させるためのプログラム命令を含むコンピュータプログラムが提供される。
【００４２】
さらに、コンピュータプログラムは、コンピューティングシステムのメモリ上に保存されるか、または電気的なキャリア信号で移送されてもよい。
【００４３】
好ましい実施形態の説明
記載された事項をよりよく理解するために、図面が添付され、概略的および単に非限定的な例示を目的として、実施形態の実際的事例が示されている。
【００４４】
図１に示すようなコンピューティングシステムにおいて、本発明の好ましい実施形態を実践することができる。
【００４５】
図１のコンピューティングシステム１０の基本構成は、コンピューティングシステム１０上のデータを制御して処理するための命令、たとえばプログラムを解釈して実行することを意図した中央処理ユニット（ＣＰＵ）１１と、マウス１２、キーボード１３、光記録ディスク（図２）のための記録ユニット１４（レコーダ）、およびグラフィック画像を表示するために好適なモニタ１５を含む、ＣＰＵがアクセスし得る種々の周辺デバイスとを含み、マウス１２およびキーボード１３は入力デバイスであり、モニタ１５は出力デバイスである。マウス１２は、少なくとも右ボタンおよび左ボタンを含む。
【００４６】
ＣＰＵ１１はまた、第２のメモリ１６および作業用ＲＡＭメモリ（ランダムアクセスメモリ）１７にアクセスする。第２のメモリ１６は特に、アプリケーション１８、および前記アプリケーションが動作するオペレーティングシステム１９を保存することが意図され、大容量データ記憶デバイス、たとえばハードディスク、ＣＤ−ＲＯＭまたはＤＶＤ−ＲＯＭは前記第２のメモリ１６内部で判別される。ＲＡＭメモリ１７は、ＣＰＵ１１が頻繁にアクセスし、正確な稼動のために必要である情報を、コンピューティングシステム１０が一時的に保存することを可能にするメモリである。ＲＡＭメモリ１７は高速アクセスの揮発性メモリであり、すなわちコンピューティングシステム１０の電源が切られたとき、すべての保存された情報がそこから消去される。
【００４７】
ＣＰＵ１１は、システムバス１と呼ばれる接続セットを用いて、周辺デバイス１２、１３、１４および１５（入力および出力デバイス）、第２のメモリ１６、ならびにＲＡＭメモリ１７と通信する。システムバス１は本質的に、前述のコンピューティングシステムの異なる部位を、アドレス信号、制御信号およびデータ信号を用いて接続する双方向の共有パスである。
【００４８】
好ましい本実施形態では、コンピューティングシステムはパーソナルコンピュータ１０であり、ＣＰＵ１１が２．６６ＧｈｚのＩｎｔｅｌ（登録商標）Ｐｅｎｔｉｕｍ（登録商標）４プロセッサであり、ＲＡＭメモリ１７が３３３ＭＨｚの２５６ＭＢ  ＤＤＲ  ＲＡＭメモリ（ダブルデータレートＲＡＭ）であり、第２のメモリ１６が７２００ｒｐｍの８０Ｇｂハードディスクであり、レコーダ１４がデュアル、すなわちＤＶＤ±Ｒ／ＲＷを８倍速ＤＶＤ−Ｒおよび１２倍速ＤＶＤ＋Ｒで記録することを可能にするものであり、モニタ１５が１７インチ型１２８０×１０２４ピクセルのＬＣＤであり、マウス１２が無線周波数技術による光学式およびワイヤレスであり、キーボード１３もまた無線周波数技術によるワイヤレスである。用いられるオペレーティングシステム１９はマイクロソフト（登録商標）社のＷｉｎｄｏｗｓ  ＸＰ  Ｐｒｏｆｅｓｓｉｏｎａｌであるが、当業者においては、本発明をその他のオペレーティングシステムで実践してもよいことは明白である。
【００４９】
記載されたコンピューティングシステム１０は、非制限的な一例として提供されるのみである。本発明は、本発明にて示される最低限の要求が満たされる限り、任意のタイプのコンピューティングシステムで実践されてもよい。
【００５０】
図２には、本発明の光記録ディスク２０、より詳細には、光学基板２３上に読み取り専用領域２１および記録可能領域２２を含むハイブリッドＤＶＤ−Ｒを示す。読み取り専用領域２１は記録可能領域２２上に、データ記録プログラム２４および、光記録ディスク２０がレコーダ１４内に挿入されたときに記録プログラム２４をオートランさせるためのファイル２５を保存する。
【００５１】
ＤＶＤ２０の記録可能領域２２上に保存されるデータ、主にビデオファイルおよび画像ファイルは、コンピュータ１０のハードディスク１６に保存されるが、その他のあらゆる媒体またはコンピュータ上に保存されることもできる。
【００５２】
前記ファイル２５は、オペレーティングシステム１９により検出されるように“ａｕｔｏｒｕｎ．ｉｎｆ”と名付けられ、ＤＶＤ２０がレコーダ１４内に挿入されたとき、ファイルに収容されている、上記オートラン（オペレーティングシステムのオートプレイ機能）に関連するパラメータ、たとえば表示されるアイコンまたは実行されるアプリケーションが取得される。このファイルは常に“[ａｕｔｏｒｕｎ]”のような行から始まり、オートランの選択肢を判断するパラメータが、このヘッダの下に各行にひとつ配置される。好ましい本実施形態のためのファイルの一例は以下のとおりである。
[autorun]
Icon=recording_program_icon
Open=recording_program.exe
【００５３】
記録プログラム２４は、データ記録モジュールと、レコーダの動作パラメータを検出するためのモジュールと、レコーダを識別するためのモジュールとを含む。
【００５４】
記録モジュールは特に、ＤＶＤ２０に記録されるデータを選択し、パーソナルコンピュータ１０の第２のメモリ（ハードディスク）１６内のすべての映像ファイルおよびビデオファイルを検索することを可能にするもので、ユーザが保存を所望するデータを検索したり、記録を実行して、ＤＶＤ２０の記録可能領域２２上に選択されたデータを保存したりすることを容易にする。このため、記録モジュールはグラフィカルユーザインターフェイスを作成し、これは、保存されるデータが表示される少なくとも１つの領域と、保存されるデータを選択することができる領域と、レコーダ１４に、選択されたデータをＤＶＤ２０の記録可能領域２２上にセーブさせるコマンド信号を生成する、記録を実行するためのボタン、アイコンおよび／またはメニュー項目の形式の制御エレメントと、前記データの検索をさせるコマンド信号を生成し、保存するデータの選択用の領域からグラフィカルユーザインターフェイスを介してユーザにそれらを表示する、コンピュータ１０内のすべての画像および／またはビデオの検索を行うためのボタン、アイコンおよび／またはメニュー項目の形式の制御エレメントとを含む。選択領域と、選択したデータの表示領域の両方が、アクション（コマンド信号）を生成する多くの選択肢（制御エレメント）を行うことを可能にする。このように、たとえば、保存されるデータを表示する領域からエレメントをクリアするか、またはマウス１２を用いて、選択されるデータを表示する領域から、ＤＶＤ２０上の選択されたデータを保存するための領域にエレメントをドラッグするかすることが可能である。
【００５５】
レコーダの動作パラメータの検出モジュールの目的は、レコーダ１４のファームウェアおよび記録プログラム２４をアップデートすることを回避する目的で、ＤＶＤ２０が挿入されたレコーダ１４の適切な動作パラメータを検出することである。基本的には、このモジュールは、レコーダ１４に対する記録プログラム２４の適合をもたらし、これを介して、レコーダ１４の正確な動作のための好適なパラメータの検出から、試行錯誤法を用いて、ＤＶＤ２０の記録可能領域２２上にデータを保存しようとする。このように、記録プログラム２４はレコーダ１４に送信されるべき命令を理解し、レコーダ１４のファームウェアおよび記録プログラム２４自体のどちらもアップデートを行う必要なく、記録可能領域２２上にデータを正確に記録するようにされている。
【００５６】
レコーダの識別のためのモジュールは、ＤＶＤ２０が挿入されたユニット１４がリーダかまたはレコーダかを検出するのに好適である。リーダである場合、ユーザはＤＶＤ２０上に保存されたデータにアクセスすることができるが、オートランファイル２５の記録プログラム２４のオートランは行われず、使用できない。
【００５７】
記録プログラム２４がコンピュータ１０のＲＡＭメモリ１７内で実行することを重視するのは重要である。プログラム２４の命令およびデータの両方がＲＡＭ１７からＣＰＵ１１へ転送され、ＣＰＵ１１で処理されたデータがＲＡＭ１７へ転送されて戻され、ＲＡＭ１７上に保存されたデータがコンピュータ１０により処理されるようにすることが必要である。バス１を用いて、ＣＰＵ１１とＲＡＭ１７との間の相互接続が行われる。
【００５８】
本発明の光記録ディスク上にデータを記録するための方法の好ましい実施形態が、以下に記載されている。先に記載のエレメントから説明が行われる。
【００５９】
図３から理解できるように、本方法は、アイドリングステップ３０から開始し、レコーダ１４にＤＶＤ２０を挿入するステップ３１を含み、ここから、記録プログラム２４はステップ３２において、ＤＶＤ２０が挿入されたユニットがレコーダかどうかを確かめる。回答が否定である場合、制御が方法終了ステップ３０ａに戻され、ＤＶＤ２０上に保存されたデータはアクセス可能になる。回答が肯定である場合、オペレーティングシステム１９はステップ３３において、オートランファイル２５が存在するかどうか、またはこのファイルが適切なパラメータを有するかどうかを確かめる。
【００６０】
回答が肯定である場合、ステップ３４において記録プログラム２４のオートランが行われ、ここから、ステップ３５において、ユーザはＤＶＤ２０の記録可能領域２２上に保存されるデータ（主に画像およびビデオ）を選択する。回答が否定である場合、ステップ３６で記録プログラム２４が手動で実行されると、本方法の制御はステップ３５に移動し、そうでない場合は、本方法の制御は方法終了ステップ３０ａに移動し、ＤＶＤ２０上に保存されたデータはアクセス可能になる。
【００６１】
続いて、ステップ３７でデータ記録が有効化されると、ステップ３８で記録プログラム２４により、レコーダ１４の動作のための好適なパラメータが決定され、その後ステップ３９で、決定されたパラメータから、ＤＶＤ２０の記録可能領域２２上の選択されたデータの記録が行われる。いったん記録が完了すると、ステップ４０でデータがアクセス可能にされる。
【００６２】
上述のステップのうちいくつかの位置は、本方法内で変えてもよいことを強調することは重要である。このように、たとえば、レコーダ１４の好適な動作パラメータを決定するステップ３８を、ＤＶＤ２０がレコーダ１４に挿入された後の任意の時点で行うことができる。このステップ３８またはその他のステップも、他のステップまたは上述の方法のステップに関するバックグラウンドで行うことができる。
【００６３】
本発明の特定の実施形態について説明し図示してきたが、当業者においては、添付の請求の範囲により画定された保護範囲から逸脱することなく、変型および改変を導入したり、またはその他の技術的な均等物と置き換えたりすることが可能であることは明白であろう。
【００６４】
このように、たとえば、記録プログラム２４を保存でき、かつ前記プログラム２４を実行してディスク２０自体上にデータの保存を行うことができる限り、用いられるディスク２０のタイプは他のものでもよい。
【００６５】
さらに、図面を参照して説明された本発明の実施形態は、コンピュータ装置およびコンピュータ装置内で実行されるプロセスを含むが、本発明はさらに、本発明を実施に移すために適合されたコンピュータプログラムにまでおよぶ。コンピュータプログラムは、ソースコード、オブジェクトコードまたは中間ソースコードおよび部分的にコンパイルされた形式のオブジェクトコード、または本発明のプロセスの実践での使用に好適なその他のあらゆる形式にすることができる。本発明を行うことができるように、記録プログラム２４は読み取り専用領域２１上に収容されているべきであることは明らかであるが、キャリア手段は、プログラムを移送することができるその他のいかなる構成要素またはデバイスにすることも可能である。
【００６６】
たとえば、キャリア手段は、ＲＯＭ、たとえばＣＤ  ＲＯＭまたは半導体ＲＯＭ等の記憶媒体、または磁気記録媒体、たとえばフロッピーディスクまたはハードディスクを含むことができる。さらに、キャリアは伝送可能なキャリア、たとえば、電気または光ケーブルを介して、または無線もしくはその他の手段により伝達されることができる電気または光信号にすることもできる。
【００６７】
コンピュータプログラムが、ケーブルまたはその他のデバイスもしくは手段により直接伝達されることができる信号に取り入れられている場合、そのようなケーブルまたはその他のデバイスもしくは手段により、キャリアを構成することができる。
【００６８】
これに代えて、キャリアを、コンピュータプログラムが組み込まれた集積回路にしてもよい。
【図面の簡単な説明】
【００６９】
【図１】本発明の好ましい実施形態を実践するために好適なコンピュータシステムのブロック図を示す。
【図２】本発明の対象である、光記録ディスクの略線図を示す。
【図３】本発明による、図２の光記録ディスク上にデータを記録するための方法のフローチャートを示す。
【図１】
2008520057.tif 000003
【図２】
2008520057.tif 000004
【図３】
2008520057.tif 000005
【手続補正書】
【提出日】平成19年11月12日(2007.11.12)
【手続補正１】
【補正対象書類名】明細書
【補正対象項目名】０００６
【補正方法】変更
【補正の内容】
【０００６】
前記の片面２層ディスクよりも旧来のものに、ハイブリッド光記録ディスクがあり、Ｍａｃ（商標）のシステムとＰＣのシステムとの間の保存データの互換性を得るために主に用いられ、情報は複製されないが、Ｍａｃ（商標）のシステムおよびＰＣのシステムの双方で同じファイルが扱われるようにされている。前記ハイブリッドディスクは、その名称が示すように、リードオンリーメモリ（ＲＯＭ）領域および書き込み可能な領域を含み、すなわちこれらのディスクはＣＤ−ＲＯＭ／ＤＶＤ−ＲＯＭおよびＣＤ−Ｒ／ＤＶＤ±Ｒまたは片面２層ＤＶＤの間でハイブリッドであるということである。したがって、これらのディスクは、ＲＯＭ領域の製造時に情報が成型によって保存されるものであり、ＲＯＭ領域は読み出し可能であるが書き換え可能ではなく、ユーザはデータを書き込み可能な領域に保存することが可能になる。
【手続補正２】
【補正対象書類名】明細書
【補正対象項目名】００４７
【補正方法】変更
【補正の内容】
【００４７】
ＣＰＵ１１は、システムバス１ａと呼ばれる接続セットを用いて、周辺デバイス１２、１３、１４および１５（入力および出力デバイス）、第２のメモリ１６、ならびにＲＡＭメモリ１７と通信する。システムバス１ａは本質的に、前述のコンピューティングシステムの異なる部位を、アドレス信号、制御信号およびデータ信号を用いて接続する双方向の共有パスである。
【手続補正３】
【補正対象書類名】明細書
【補正対象項目名】００５７
【補正方法】変更
【補正の内容】
【００５７】
記録プログラム２４がコンピュータ１０のＲＡＭメモリ１７内で実行することを重視するのは重要である。プログラム２４の命令およびデータの両方がＲＡＭ１７からＣＰＵ１１へ転送され、ＣＰＵ１１で処理されたデータがＲＡＭ１７へ転送されて戻され、ＲＡＭ１７上に保存されたデータがコンピュータ１０により処理されるようにすることが必要である。バス１ａを用いて、ＣＰＵ１１とＲＡＭ１７との間の相互接続が行われる。
【国際調査報告】
2008520057.tif 000006
2008520057.tif 000007
2008520057.tif 000008
2008520057.tif 000009